(57)【要約】【課題】シリンジポンプにおいてシリンジ外れの誤検出を抑制しつつさまざまなシリンジサイズを認識可能にする。【解決手段】シリンジポンプ（１０）は、シリンジ台（１）上に載置されたシリンジ（１００）を上方から押圧してシリンジをシリンジ台上に保持するシリンジクランプ（２）と、シリンジクランプの上下方向の位置を検出するクランプ位置検出センサ（２４）と、クランプ位置検出センサの検出信号に基づいてシリンジ台上に載置されたシリンジのサイズを認識するとともに、認識したシリンジサイズに基づいてシリンジの載置状態を判定する制御部（３０）とを備える。制御部（３０）は、プランジャ（１１０）の押出開始までは狭い認識範囲でシリンジのサイズを認識し、プランジャの押出中は広い認識範囲でシリンジのサイズを認識し、プランジャの押出中にクランプ位置検出センサの検出信号が認識範囲から外れたとき、シリンジの載置異常を判定する。【選択図】図５
2015188620.tif 000002
【特許請求の範囲】
【請求項１】
シリンジ台上に載置されたシリンジのプランジャを軸心方向前方に所定の速度で押出して前記シリンジ内の液体を注入するシリンジポンプであって、
前記シリンジ台上に載置されたシリンジを上方から押圧して前記シリンジを前記シリンジ台上に保持するシリンジクランプと、
前記シリンジクランプの上下方向の位置を検出するクランプ位置検出センサと、
前記クランプ位置検出センサの検出信号に基づいて前記シリンジ台上に載置されたシリンジのサイズを認識するとともに、認識したシリンジサイズに基づいて前記シリンジの載置状態を判定する制御部と、を備え、
前記制御部は、前記プランジャの押出開始までは狭い認識範囲で前記シリンジのサイズを認識し、前記プランジャの押出中は広い認識範囲で前記シリンジのサイズを認識し、前記プランジャの押出中に前記クランプ位置検出センサの検出信号が前記認識範囲から外れたとき、前記シリンジの載置異常を判定する、ことを特徴とするシリンジポンプ。
【請求項２】
前記シリンジクランプが、前記シリンジ台に対して直交方向に上下動自在のクランプ軸の一端に取り付けられ、前記クランプ軸の他端にクランプベースが取り付けられており、
前記クランプ位置検出センサが、前記クランプベースの上下変位を検出するリニア型変位センサである、ことを特徴とする請求項１に記載のシリンジポンプ。
【請求項３】
前記制御部は、前記シリンジの載置異常を判定したとき、前記プランジャの押出を停止してシリンジ外れの警報を発する、ことを特徴する請求項１または請求項２に記載のシリンジポンプ。
【発明の詳細な説明】
【技術分野】
【０００１】
本発明は、シリンジポンプに関し、特に、シリンジ台上に載置されたシリンジのサイズの自動認識およびプランジャ押出中のシリンジ外れを検出する技術に関する。
【背景技術】
【０００２】
シリンジポンプは、さまざまな異なるサイズのシリンジ内の液体を正確に送り出す装置である。シリンジポンプ（注射筒輸液ポンプ）は、患者への薬液注入を高精度で行うことを目的としたものであり、汎用輸液ポンプと比較して注入精度に優れている。
【０００３】
シリンジポンプの使用方法は、薬液が充填されたシリンジをシリンジ台上に載置してシリンジクランプで固定し、シリンジのプランジャをプランジャホルダのフックに掛止させてプランジャホルダをシリンジに平行に移動させることで、プランジャを軸心方向前方へ押出して薬液を注入するというものである。
【０００４】
シリンジポンプを使用して注入される薬液の中には高精度の注入が求められる劇薬も含まれるため、シリンジポンプの使用法について操作者への教育が必要である。誤使用の場合、患者に重篤な危害を与えるリスクがある。
【０００５】
そこで、シリンジポンプには、誤使用を防止するためのさまざまな安全機構が装備されている。例えば、シリンジクランプでシリンジ台にシリンジを保持し、シリンジサイズを自動認識するシリンジ認識機構、プランジャホルダでプランジャの装着状態を監視するプランジャ認識機構、フランジクランプでシリンジのフランジ装着状態を監視するフランジ認識機構などが、シリンジポンプに装備されている（例えば、特許文献１を参照）。
【０００６】
また、シリンジポンプにおいて、送り機構部の送りネジとクラッチ（ハーフナット）が噛み合い、モータにより送りネジが回転駆動されることでクラッチが直線運動に変換され、プランジャホルダが移動し、プランジャを押すことで、薬液を注入する。そのクラッチについて、送りネジとの噛み合い状態を検出しており、クラッチの噛み合い不良を判別している。クラッチの噛み合い不良の場合は、開始ボタンを押しても注入回避機能が働き、注入を開始できないようになっている。
【先行技術文献】
【特許文献】
【０００７】
【特許文献１】特開２０１０−２９５９３号公報
【発明の概要】
【発明が解決しようとする課題】
【０００８】
従来のシリンジポンプは、シリンジクランプの上下方向の位置を検出し、その検出した位置がいずれのサイズのシリンジ認識範囲に収まるかによってシリンジサイズを自動認識する。また、従来のシリンジポンプは、注入中にシリンジの装着状態を監視し、シリンジクランプの上下方向の位置が各シリンジサイズ認識範囲から外れると、シリンジ外れの警報を発生させ、注入を停止する。
【０００９】
しかし、シリンジを正しく装着し、シリンジサイズが自動認識された状態で注入を開始した場合においても、輸液回路の内圧変化などによるシリンジの変形や輸液チューブの引っ張りなどによるシリンジの装着状態の変化（シリンジの膨張や位置ずれ）が生じる場合がある。そのような場合、シリンジ装着状態の変化量によっては、シリンジクランプの上下方向の位置がシリンジ認識範囲から外れ、シリンジ外れ警報が発生してしまう。シリンジが外れていないにもかかわらずシリンジの装着状態が変化しただけでシリンジ外れ警報が発生すると、注入停止によって薬液の未投与が発生してしまう。そのため、従来のシリンジポンプでは、シリンジ認識範囲にある程度のマージンを持たせている。これにより、プランジャの押出中にシリンジクランプの上下方向の位置が多少変動しても、シリンジ外れを誤検出しないようになっている。
【００１０】
一方、さまざまなシリンジサイズを認識可能にするには、上記マージンを小さくしてシリンジ認識範囲は極力狭くすることが好ましい。しかし、シリンジ認識範囲を狭くしすぎると、プランジャ押出中にシリンジ外れの誤検出が頻発するおそれがある。
【００１１】
上記問題に鑑み、本発明は、シリンジポンプにおいてシリンジ外れの誤検出を抑制しつつさまざまなシリンジサイズを認識可能にすることを課題とする。
【課題を解決するための手段】
【００１２】
本発明の一局面に従ったシリンジポンプは、シリンジ台上に載置されたシリンジのプランジャを軸心方向前方に所定の速度で押出して前記シリンジ内の液体を注入するシリンジポンプであって、前記シリンジ台上に載置されたシリンジを上方から押圧して前記シリンジを前記シリンジ台上に保持するシリンジクランプと、前記シリンジクランプの上下方向の位置を検出するクランプ位置検出センサと、前記クランプ位置検出センサの検出信号に基づいて前記シリンジ台上に載置されたシリンジのサイズを認識するとともに、認識したシリンジサイズに基づいて前記シリンジの載置状態を判定する制御部と、を備え、前記制御部は、前記プランジャの押出開始までは狭い認識範囲で前記シリンジのサイズを認識し、前記プランジャの押出中は広い認識範囲で前記シリンジのサイズを認識し、前記プランジャの押出中に前記クランプ位置検出センサの検出信号が前記認識範囲から外れたとき、前記シリンジの載置異常を判定するものである。
【００１３】
これによると、シリンジ台上に載置されたシリンジのプランジャの押出が開始されるまではシリンジサイズの認識範囲が狭く設定されるため、より多くのシリンジサイズを認識することができ、プランジャの押出中はシリンジサイズの認識範囲が広く設定されるため、シリンジクランプの上下位置が多少変動してもシリンジ外れが誤検出されにくくなる。
【００１４】
前記シリンジクランプが、前記シリンジ台に対して直交方向に上下動自在のクランプ軸の一端に取り付けられ、前記クランプ軸の他端にクランプベースが取り付けられていてもよい。この場合、前記クランプ位置検出センサとして、前記クランプベースの上下変位を検出するリニア型変位センサを用いる。これによると、比較的簡易な構成でシリンジクランプの上下方向の位置を検出する機構を構成することができる。
【００１５】
前記制御部は、前記シリンジの載置異常を判定したとき、前記プランジャの押出を停止してシリンジ外れの警報を発してもよい。これにより、患者に重篤な危害を与えるリスクを回避することができる。
【発明の効果】
【００１６】
本発明によると、シリンジポンプにおいてシリンジ外れの誤検出を抑制しつつさまざまなシリンジサイズを認識可能にすることができる。これにより、シリンジポンプの利便性および安全性を向上させることができる。
【図面の簡単な説明】
【００１７】
【図１】本発明の一実施形態に係るシリンジポンプの外観を示す斜視図である。
【図２】シリンジポンプの駆動系および各種センサを示す図である。
【図３】シリンジクランプの上下方向の位置を検出する機構を示す図である。
【図４】シリンジポンプの電気制御系の一例を示すブロック図である。
【図５】シリンジポンプの動作の一例を示すフローチャートである。
【発明を実施するための形態】
【００１８】
以下、図面を参照しながら本発明を実施するための形態について説明する。なお、本発明は、以下の実施形態に限定されるものではない。
【００１９】
図１は、本発明の一実施形態に係るシリンジポンプの外観を示す斜視図である。本実施形態に係るシリンジポンプ１０は、医療施設などにおいて、患者に薬液を自動注入するのに用いられるものである。シリンジポンプ１０で注入する薬液として、例えば、化学療法剤、麻酔剤、栄養剤などが挙げられる。
【００２０】
シリンジポンプ１０の本体の上面奥にシリンジ台１が配置されている。シリンジ台１上に図示しないシリンジがシリンジポンプ１０の本体左右方向に横たえて載置される。シリンジ台１には、５ｍＬシリンジ、１０ｍＬシリンジ、２０ｍＬシリンジ、３０ｍＬシリンジ、５０ｍＬシリンジなどを載置することができる。シリンジ台１はスリット状になっており、載置されたシリンジが本体奥へ転落するのを防止している。また、シリンジ台１上に載置されたシリンジのフランジがシリンジ台１の右端部に当接して、シリンジのプランジャが軸心方向前方へ押出されるときにシリンジを所定位置に保持した状態でプランジャのみが押出されるようになっている。
【００２１】
シリンジ台１の手前におけるシリンジポンプ１０の上面に、シリンジ台１に対して直交方向に上下動自在の図示しないクランプ軸が設けられている。そのクランプ軸の先端にシリンジクランプ２が取り付けられている。シリンジクランプ２は、図示しないコイルバネの引張力によって下方向へ付勢されている。シリンジクランプ２は、シリンジ台１上に載置されたシリンジを上方から押圧してシリンジ台１に保持する。
【００２２】
シリンジ台１の右側にはプランジャホルダ３が配置されている。シリンジ台１上に載置されたシリンジのプランジャはプランジャホルダ３のフック４によって掛止する。フック４は常時閉じた状態にあり、プランジャホルダ３のレバー５を操作することで解放される。プランジャホルダ３は、図示しないスライダ機構によりシリンジに平行に直線運動し、プランジャを軸心方向前方に所定の速度で押出する。これにより、シリンジ内の液体が患者に注入される。なお、シリンジの装着時などにおいて、レバー５を操作することで、プランジャホルダ３を左右方向に自由移動させることができる。
【００２３】
シリンジポンプ１０の上面には、各種操作ボタン６と、表示装置７とが配置されている。操作ボタン６は、電源ボタン、注入開始ボタン、注入停止ボタン、注入早送りボタンなどを含む。表示装置７は、シリンジポンプ１０の動作状態、自動認識したシリンジサイズ、注入流速などを表示する。表示装置７は、例えば、カラー液晶装置などで構成される。
【００２４】
シリンジポンプ１０の正面手前の中央には、運転表示灯８が配置されている。運転表示灯８は、プランジャの押出中に点灯または点滅して患者に薬液注入中であることを知らせる。
【００２５】
次に、本実施形態に係るシリンジポンプ１０の駆動系および各種センサについて説明する。図２は、シリンジポンプ１０の駆動系および各種センサを示す図である。
【００２６】
モータ１１は、プランジャホルダ３を直線運動させるための駆動源である。モータ１１のギア１２は送りネジ１３に噛み合っている。送りネジ１３は、シリンジ１００の軸心方向に延び、スライダ１４を貫通している。スライダ１４には、送りネジ１３と噛み合うクラッチ（ハーフナット）１５が設けられている。プランジャホルダ３は、ロッド１６を介してスライダ１４に連結されている。したがって、モータ１１が回転することで送りネジ１３が回転駆動され、それによりスライダ１４が送りネジ１３の軸方向へ移動する。プランジャホルダ３は、スライダ１４の移動に連動して直線運動し、シリンジ１００のプランジャ１１０を軸心方向前方（図２では左方向）へ押し出す。モータ１１の回転速度を変更することにより、プランジャ１１０の押出速度を変更することができる。
【００２７】
プランジャホルダ３のレバー５を操作することでクラッチ１５と送りネジ１３との噛み合いが解放され、プランジャホルダ３を左右方向に自由移動させることができる。クラッチ検出センサ１６は、クラッチ１５と送りネジ１３との噛み合い状態を検出する。
【００２８】
スライダ１４には送り検出センサ１８が連結されている。送り検出センサ１８は、送りネジ１３の軸方向に沿って配置されたスリット板１９上を移動し、スリットを検出する。したがって、送り検出センサ１８の検出信号から、プランジャ１１０の押出速度が検出される。
【００２９】
送り検出センサ１８には遮光板２０が連結されている。遮光板２０もまたスライダ１４の移動とともに送りネジ１３の軸方向へ移動する。遮光板２０の移動先において、遮光板２０と対向する位置に残量検出センサ２１が配置されている。残量検出センサ２１上を遮光板２０が通過することで、残量検出センサ２１は、シリンジ１０１内の薬液の残量を検出する。
【００３０】
プランジャホルダ３に閉塞検出センサ２２が設けられている。シリンジ１００内部の圧力が上昇するとプランジャ１１０が閉塞検出センサ２２を押す。閉塞検出センサ２２は、プランジャ１１０に押されることにより閉塞（圧力上昇）を検出する。
【００３１】
上述したように、シリンジ１００は上方からシリンジクランプ２に押圧されることによりシリンジ台１上に保持される。シリンジクランプ２は、クランプ軸２３の一端に取り付けられている。また、クランプ軸２３の他端にはクランプベース２４が取り付けられている。すなわち、シリンジクランプ２の上下動に連動してクランプベース２４もまた上下方向に移動する。クランプベース２４の上下変位はクランプ位置検出センサ２５によって検出される。クランプ位置検出センサ２５として、クランプベース２４の直線上の位置を検出するリニア型変位センサを用いることができる。あるいは、クランプ位置検出センサ２５として、クランプベース２４の上下動を回転運動に変換し、その回転角度を検出するロータリー型変位センサを用いることもできる。
【００３２】
次に、シリンジクランプ２の上下方向の位置を検出する機構について説明する。図３は、シリンジクランプ２の上下方向の位置を検出する機構を示す図であり、シリンジポンプ１０の左側から見たときのシリンジクランプ２およびその他の主な部材を表す。
【００３３】
クランプ軸２３の両端にシリンジクランプ２およびクランプベース２４が取り付けられている。クランプ位置検出センサ２５は、例えば、リニア型変位センサであり、その長手方向がクランプ軸２３と平行になるように配置されている。クランプ位置検出センサ２５の可動電極２６がクランプベース２４に把持されている。
【００３４】
シリンジクランプ２は、図示しないコイルバネによって適度な引張力で下方向へ付勢されている。また、シリンジクランプ２は、図示しないギア機構によって、クランプ軸２３周りに９０度回転可能に構成されている。したがって、シリンジ１００をシリンジ台１に保持する際には、まず、シリンジクランプ２を９０度回転させて最上位まで引き上げ、シリンジ１００をシリンジ台１上に載置した後にシリンジクランプ２を元の向きに戻してシリンジ１００上に引き下ろす。シリンジ１００がスリット状のシリンジ台１上に載置され、シリンジクランプ２の下端がシリンジ１００の外径上端に当接し、シリンジクランプ２がシリンジ１００を上方からシリンジ台１に向けて押圧することで、シリンジ１００がシリンジ台１に保持される。
【００３５】
シリンジ１００がシリンジ台１に保持された状態においてシリンジクランプ２の上下方向の位置が決まる。シリンジクランプ２の上下動とクランプベース２４の上下動とは連動しているため、クランプベース２４の上下方向の位置も決まる。クランプ位置検出センサ２５は、このときの可動電極２６の位置に応じた検出信号を出力する。このようにしてクランプ位置検出センサ２５はシリンジクランプ２の上下方向の位置を検出する。
【００３６】
シリンジクランプ２の上下方向の位置は、シリンジ台１上に載置されるシリンジ１００のサイズに応じて変わる。すなわち、シリンジ１００のサイズが大きいほどその外径が大きくなるため、シリンジクランプ２の上下方向の位置は高くなる。また、シリンジ１００のサイズに応じてシリンジクランプ２の上下方向の位置が一意に決まる。したがって、シリンジクランプ２の上下方向の位置から、シリンジ台１上に載置されたシリンジ１００のサイズを認識することができる。
【００３７】
ただし、シリンジ１００の外径のばらつき、シリンジクランプ２、クランプ軸２３、クランプベース２４の寸法や取り付けのばらつき、クランプ位置検出センサ２５の検出精度のばらつきなどがあるため、それらばらつきを考慮して、一定のマージンを持つシリンジ認識範囲が設定されている。すなわち、可動電極２６があるシリンジ認識範囲に入った場合、そのシリンジ認識範囲に対応したシリンジサイズが認識される。図３の例では、シリンジ１００のサイズは１０ｍＬと認識される。
【００３８】
次に、シリンジポンプ１０の電気制御系について説明する。図４は、シリンジポンプ１０の電気制御系の一例を示すブロック図である。
【００３９】
シリンジポンプ１０は、制御部３０を備えている。制御部３０は、図示しないＣＰＵ（Central Processing Unit）、ＲＡＭ（Random Access Memory）、ＲＯＭ（Read Only Memory）などを備えている。制御部３０には、クラッチ検出センサ１７、送り検出センサ１８、残量検出センサ２１、閉塞検出センサ２２、およびクランプ位置検出センサ２５などの各種センサの検出信号が入力される。また、制御部３０には、電源ボタン、注入開始ボタン、注入停止ボタン、注入早送りボタンなどの各種操作ボタン６の信号が入力される。制御部３０は、これらセンサおよび操作ボタンの信号を受けて、モータ１１を駆動制御し、表示装置７に各種表示をし、運転表示灯８を点灯または点滅制御する。さらに、制御部３０は、シリンジ外れなどの異常状態を検出した場合にはスピーカ３１から警報音を発する。
【００４０】
制御部３０の重要な機能の一つにシリンジサイズ自動認識機能がある。すなわち、制御部３０は、クランプ位置検出センサ２５の検出信号に基づいて、シリンジ台１上に載置されたシリンジ１００のサイズを認識する。クランプ位置検出センサ２５の検出信号は図示しないＡ／Ｄ変換器で数値化（デジタル変換）され、制御部３０に入力される。また、上述のシリンジ認識範囲は数値化されて数値範囲として設定される。当該数値範囲は、各シリンジサイズに対応する基準値に所定のマージンを付加することで設定される。例えば、基準値をＸ、マージンをαとすると、数値範囲はＸ±αで表される。
【００４１】
制御部３０のＲＯＭには、各シリンジサイズの基準値Ｘおよびマージンαが保存されている。制御部３０は、ＲＯＭから各シリンジサイズの基準値Ｘおよびマージンαを読み出して各シリンジサイズに対応する数値範囲を計算し、クランプ位置検出センサ２５の検出信号のデジタル変換値がいずれの数値範囲に入るかを判定することで、シリンジ台１上に載置されたシリンジ１００のサイズを認識する。
【００４２】
なお、数値範囲とシリンジサイズの対応関係をテーブルにしてＲＯＭにあらかじめ保存しておいてもよい。また、シリンジサイズに応じて異なるマージンを用いることができる。
【００４３】
制御部３０の別の重要な機能としてシリンジ外れ検出機能がある。すなわち、制御部３０は、プランジャ１１０の押出中に、認識したシリンジサイズに基づいてシリンジ１００の載置状態を判定する。そして、載置異常を検出すると、制御部３０は、プランジャ１１０の押出を停止してシリンジ外れの警報を発する。当該警報は、表示装置７へのエラー表示、運転表示灯８の点滅、スピーカ３１からの警報音発報などによって行われる。
【００４４】
上記のように、本実施形態に係るシリンジポンプ１０では、シリンジクランプ２の上下方向の位置を検出する機構がシリンジサイズ自動認識およびシリンジ外れ検出に兼用される。
【００４５】
次に、シリンジポンプ１０の動作について説明する。図５は、シリンジポンプ１０の動作の一例を示すフローチャートである。
【００４６】
シリンジポンプ１０の電源が投入されると、制御部３０は、各種センサの較正（キャリブレーション）を行う（Ｓ１）。各種センサには製造ばらつき、取り付けばらつき、温度ばらつきなどがあり、検出信号にオフセットがあるが、較正処理を行うことでオフセットがキャンセルされる。
【００４７】
較正処理が終わると、制御部３０は、シリンジ認識範囲の初期設定を行う（Ｓ２）。このとき、制御部３０は、各シリンジサイズに対応するシリンジ認識範囲を狭く設定する。具体的には、制御部３０は、上述のマージンαに小さな値を適用して数値範囲を狭くする。こうすることで、クランプ位置検出センサ２５の検出可能範囲内に多くのシリンジ認識範囲を設定することができ、多くのシリンジサイズを認識対象とすることができる。
【００４８】
患者（利用者）は、シリンジポンプ１０を使用するに当たって、シリンジクランプ２を引き上げて薬液が充填されたシリンジ１００をシリンジ台１上に載置し、シリンジクランプ２をシリンジ１００上へ下ろしてシリンジ１００をシリンジ台１上に保持させるとともに、プランジャホルダ３のレバー５を操作してプランジャ１１０をフック４に掛止させてシリンジ１００をシリンジポンプ１０に装着する。この一連の作業中はクランプ位置検出センサ２５の検出信号が変動するが、シリンジ１００が装着されるとクランプ位置検出センサ２５の検出信号は一定レベルに落ち着く。したがって、制御部３０は、クランプ位置検出センサ２５の検出信号が所定時間変化しないことを検出すると（Ｓ３でＹＥＳ）、シリンジ台１上に載置されたシリンジ１００のサイズを上述した方法で認識する（Ｓ４）。
【００４９】
シリンジサイズが認識されると、表示装置７に認識結果が表示される。患者（利用者）は、表示装置７に表示されたシリンジサイズおよび注入流速などを確認して開始ボタン（操作ボタン６）を押す。これにより、プランジャホルダ３の移動が始まりプランジャ１１０が押出され、シリンジ１００内の薬液が注入される。
【００５０】
制御部３０は、薬液の注入開始を検出、すなわち、モータ１１の駆動を開始すると（Ｓ５でＹＥＳ）、シリンジ認識範囲を広げる変更を行う（Ｓ６）。このとき拡張する範囲は、初期設定時の他のシリンジ認識範囲と重なってもよい。そして、制御部３０は、クランプ位置検出センサ２５の検出信号がシリンジ認識範囲内にある間は（Ｓ８でＮＯ）、広げたシリンジ認識範囲でシリンジサイズの認識を続ける（Ｓ７）。一方、制御部３０は、クランプ位置検出センサ２５の検出信号がシリンジ認識範囲から外れたことを検出すると（Ｓ８でＹＥＳ）、プランジャホルダ３の移動を停止して薬液の注入を停止し、表示装置７、運転表示灯８、スピーカ３１にシリンジ外れの警報を発する（Ｓ９）。
【００５１】
以上のように、本実施形態によると、注入開始まではシリンジ認識範囲を狭くしたため、より多くのシリンジサイズの自動認識が可能となる。特に、微小な外形差のシリンジの見分けができるようになり、シリンジサイズの誤認による誤った薬液の注入を防止することができる。また、注入開始後は広いシリンジ認識範囲でシリンジサイズを認識することで、輸液回路の内圧変化などによるシリンジの変形や輸液チューブの引っ張りなどによるシリンジの装着状態の変化が生じてもシリンジ外れとして誤検出されにくくなる。これにより、注入停止による薬液の未投与を防止することができる。
【００５２】
以上、本発明の実施形態について説明したが、本発明は上記実施の形態の構成に限られず種々の変形が可能である。図１ないし図５を参照して上記実施形態により示した構成および処理は、本発明の一実施形態に過ぎず、本発明を当該構成および処理に限定する趣旨ではない。
【産業上の利用可能性】
【００５３】
本発明に係るシリンジポンプは、医療現場で患者に薬液を自動注入する用途に有用である。
【符号の説明】
【００５４】
１０      シリンジポンプ
１００    シリンジ
１１０    プランジャ
１        シリンジ台
２        シリンジクランプ
２４      クランプ位置検出センサ
２３      クランプ軸
２５      クランプベース
３０      制御部
【図１】
2015188620.tif 000003
【図２】
2015188620.tif 000004
【図３】
2015188620.tif 000005
【図４】
2015188620.tif 000006
【図５】
2015188620.tif 000007